(57)【要約】【目的】遊技者に対してよりインパクトの高い演出効果を与えることの出来る可動役物を提供する。【構成】基体の中心軸を囲むようにこの周りに配置されて且つこの中心軸を含む平面に沿って揺動自在に基体に係合した少なくとも２つの可動片が設けられる。可動片は駆動部によって揺動せしめられる。ここで、可動片の先端部同士が互いに近接した状態では可動片に囲繞される一方で、離間した状態では可動片から裸出するような一端部を有する芯部材を含む。【選択図】図６
2007130147.tif 000002
【特許請求の範囲】
【請求項１】
遊技機の遊技盤上に設けられる可動役物であって、
基体と、
前記基体の中心軸を囲むようにこの周りに配置されて且つ前記中心軸を含む平面に沿って揺動自在に前記基体に設けられた少なくとも２つの可動片と、
前記可動片を揺動せしめる駆動部と、
前記可動片の先端部同士が互いに近接した状態において前記可動片に囲繞される一方で離間した状態において前記可動片から裸出する一端部を有する芯部材と、を含むことを特徴とする可動役物。
【請求項２】
前記可動片の他端部は前記芯部材に係合しており、前記芯部材は前記基体の中心軸に沿って往復動自在であって、前記芯部材の前記一端部が前記可動片から裸出する裸出方向へ移動する動作に応動して前記可動片の前記先端部同士が互いに離間した状態に揺動することを特徴とする請求項１記載の可動役物。
【請求項３】
前記芯部材は前記裸出方向と反対方向へ移動する動作に応動して前記可動片の前記先端部同士が互いに近接した状態に揺動することを特徴とする請求項２記載の可動役物。
【請求項４】
前記基体は中心部に貫通孔を有し、前記可動片は前記貫通孔に貫挿されて前記貫通孔内部に軸支されており、且つ、前記芯部材はこれの周囲に沿って突出形成された２枚の互いに対向する一対のフランジ部を有し、前記基体に対して前記可動片の前記先端部と反対側にある前記可動片の後端部に設けられた突起が一対の前記フランジ部の間に位置していることを特徴とする請求項３記載の可動役物。
【請求項５】
前記可動片は光を透過する材料からなることを特徴とする請求項１乃至４のうちの１に記載の可動役物。
【請求項６】
前記可動片はハーフミラーからなり、前記基体の近傍に色彩の変化する光源を設けたことを特徴とする請求項５記載の可動役物。
【発明の詳細な説明】
【技術分野】
【０００１】
本発明は、遊技機の遊技盤上、特に中央役物装置の内部や周囲などに設置されて遊技者への演出を行う可動役物に関する。
【背景技術】
【０００２】
パチンコ機などの遊技球を用いた遊技機において、大型のカラー液晶パネルなどからなる表示器を中央役物装置内に具備した機種が広く普及している。このような表示器では、所定の一連の動画像から他の所定の一連の動画像に瞬時に切り替えるような表示を行って、遊技条件の成立やその予告などを遊技者に告知することができる。つまり、スピード感あふれる多彩なグラフィックによる表示演出を遊技者に提供できるのである。これにより遊技者は、表示器から単に遊技情報を得るだけでなく、グラフィックによる表示演出を楽しみながら遊技を行うことができるのである。
【０００３】
一方で、上記した中央役物装置内の表示器の演出とは全く独立して、若しくは、表示器による演出と連動して、機械的に動作して遊技を演出する役物、通称「可動役物」が遊技盤面内に設けられることがある。このような可動役物では、上記した液晶表示器などによる演出のようにスピード感あふれる演出を提供することは困難である。しかしながら、デジタル的且つ平面的な演出を行う液晶表示器の如きでは提供出来ない、アナログ的且つ立体的な演出が可能である。故に、可動役物は遊技者に依然として根強い人気なのである。そのため液晶表示器が広く普及した現在でも、各種の可動役物を遊技盤面内に配置した遊技機が提案されているのである。
【０００４】
例えば、従来の可動役物の代表的なものとしては、「電動チューリップ」があった。電動チューリップは２枚の対向して配置された花弁の先端部を遊技盤面と平行な面内で揺動せしめて、遊技の演出を行う可動役物である。また、電動チューリップは入賞口も兼ねており、花弁の開動作若しくは閉動作によって入賞口としての電動チューリップ内への遊技球の入球確率を変動させることができる。つまり、電動チューリップは、その花弁を開動作させて遊技球を入球可能な状態にするが、一方で、花弁の開動作を視覚によって確認した遊技者は遊技球の払い戻しを受けることができるだろうと期待感を抱くのであるから、電動チューリップの開動作は一種の演出でもある。
【発明の開示】
【発明が解決しようとする課題】
【０００５】
上記したように、可動役物には中央役物装置内の表示器によっては味わうことのできない、アナログ的且つ立体的な演出による面白さを遊技者に与えることが期待される。つまり、単に部材の一部が可動であるというだけでなく、遊技状態や、特に表示器による演出などと連動させてインパクトのある演出、いわゆる「アツさ」を演出することが期待されている。
【０００６】
そこで本発明では、遊技者に対して、よりインパクトの高い演出効果を与えることの出来る可動役物を提供することを目的とする。
【課題を解決するための手段】
【０００７】
本発明は、遊技機の遊技盤上に設けられる可動役物であって、基体と、前記基体の中心軸を囲むようにこの周りに配置されて且つ前記中心軸を含む平面に沿って揺動自在に前記基体に設けられた少なくとも２つの可動片と、前記可動片を揺動せしめる駆動部と、前記可動片の先端部同士が互いに近接した状態において前記可動片に囲繞される一方で離間した状態において前記可動片から裸出する一端部を有する芯部材と、を含むことを特徴とする。
【０００８】
本発明による可動役物によれば、単に可動片が揺動するだけでなく、該可動片により囲繞されている芯部材の一端部が該可動片の揺動とともにその外側から視認出来るように裸出するのである。このように、可動片の揺動という動作に加えて、可動片内部に収容されている芯部材の一端部がその外部から視認出来るように裸出するという二段階の演出動作によって、遊技者に対してよりインパクトの高い演出効果を与えることができるのである。
【発明を実施するための形態】
【０００９】
本発明による可動役物の１つの実施例は、抽選の結果、「大当たり」を得た場合に中央役物装置内の表示器の所定の表示と連動して、若しくは、独立して駆動して、「大当たり」を演出する可動役物である。詳細には、当該可動役物は、揺動する可動片と、可動片の中央に配置された芯部材とを含む。芯部材の一端部には内部演出物が形成されている。芯部材の一端部の内部演出物は、可動片の先端部同士がお互いに近接した状態において可動片に囲繞される一方で、離間した状態において可動片から裸出して遊技者が視認可能となる。かかる可動役物は、可動片の揺動という動作に加えて、可動片内部に収容されている芯部材の一端部がその外部から視認出来るように裸出、好ましくは可動片から外部に突出するように裸出するという二段階の演出動作によって、遊技者によりインパクトの高い演出効果を与える可動役物なのである。
【００１０】
より具体的には、本発明による可動役物の１つの実施例は、桃から桃太郎が生まれるような演出を行う可動役物である。２枚１組の可動片がその先端部を近接させているときには、２枚の可動片全体として「桃」の形状を形成している。遊技球が特定の始動口に入球して抽選が行われて「大当たり」が得られたときには、可動片の先端部が離間するように移動して、まるで「桃」が割れたかのような演出がなされるのである。更に、可動片の内部に収容されている芯部材の一端部には「桃太郎」の形状をした内部演出物が形成されており、可動片の移動によって、「桃太郎」の形状をした内部演出物が可動片の外部から視認出来るように裸出、好ましくは可動片から外部に突出するように裸出する演出がなされるのである。このように、二段階の演出動作によって、遊技者に対してよりインパクトの高い演出効果を与えることができるのである。
【００１１】
このような本発明による可動役物の他の実施例としては、卵から鳥や恐竜が生まれるような二段階の演出動作を行う可動役物が可能である。また、例えば、ビンやガラスが割れてその内部物が飛び出すような二段階の演出動作を行う可動役物も可能である。
【００１２】
次に、本発明による可動役物の１つの実施例として、植物の果実の中から、該果実が破れてその内部の種子が飛び出る様子を演出する種子型可動役物について、図１乃至図７を用いて詳細に説明する。
【００１３】
特に、図１に示すように、種子型可動役物１は、図示しない遊技機の遊技盤上に設けられる中央役物２の表示器３の周囲や、波形ステージ４の近傍のように、遊技中の遊技者の目が自然と向く場所に取り付けられる。種子型可動役物１は、中央役物２内の表示器３の遊技内容に基づく表示図柄と連動して、その果実殻１１を開閉してその内部の種子（軸部材３０の先端部３１）をその外側に裸出して特定の遊技条件の成立を演出したり、遊技球が特定の位置を通過したことを演出するのである。なお、図１では、種子型可動役物１が開いた状態を図示している。
【００１４】
本発明による種子型可動役物１は、後述するように、単一の駆動源で長手方向軸に沿った駆動力を与えるだけで駆動させることができて、横幅を非常にコンパクトにすることができる。故に、複数の種子型可動役物１を横一列に並べて設置することが容易である。特に横一列に並べられた多数の種子型可動役物１が一斉に駆動することで遊技者に大なる演出効果を与えることができるのである。
【００１５】
また、本発明による種子型可動役物１は、後述するように、果実殻１１の開閉に重力を利用していないため、取り付け方向に制限がなく、表示器３の周囲を取り囲むように設置可能である。つまり、より多くの種子型可動役物１を設置出来るため、遊技者に大なる演出効果を与えることができるのである。
【００１６】
特に、図２及び図３に示すように、種子型可動役物１のいわゆる果実１０は略球状であって、２枚の果実殻１１を一組として構成されている。つまり、果実殻１１は、球殻の一部を切り取った湾曲面によって構成されている。可動片としての果実殻１１はそれぞれ揺動して、互いにその先端部が近接したときには果実１０が閉じた状態を表現している（図２参照）。
【００１７】
特に、図３に示すように、果実殻１１は支持部材１２の頂部（上端部）に取り付けられている。支持部材１２は略角柱状であって、角柱の１つの側面１２ａの向いている方向、すなわち側面１２ａに垂直な方向Ｓと、側面１２ａの頂部の果実殻１１の湾曲している方向とが一致している。支持部材１２の下端部（後端部）近傍には、側面１２ａから方向Ｓへ向けて突出する突出部１３が形成されている。支持部材１２の側面１２ａの裏側の側面１２ｂには、これと垂直に伸びる方向Ｓ’、すなわち方向Ｓと反対向きの方向Ｓ’へ向けて突出する取り付け部１４が形成されている。取り付け部１４の突出端部には、円柱状の回転支持部材１５が形成されている。
【００１８】
なお、ここでは２枚の果実殻１１を含む種子型可動役物１について図示しているが、種子型可動役物１に含まれる果実殻１１の数はこれに限定されるものではない。
【００１９】
更に図４及び図５を併せて参照すると、基体としての円盤状部材２０は、円盤状の部材の中央部に長方形の貫通孔である中央孔２０ａをくり抜いた部材である。長方形の２つの短辺の中央部からは円盤状部材２０の中心軸２１から放射状方向に伸長する貫通溝２２が切削加工されている。貫通溝２２には、果実殻１１と接続している支持部材１２が移動自在に収容される。貫通溝２２の放射状方向の端部近傍には、凹溝２３が円盤状部材２０の内側の面から切削加工されている。凹溝２３の内部には、果実殻１１と接続している回転支持部材１５が収容される。
【００２０】
ここで、特に図５に示すように、果実殻１１に支持部材１２を介して接続している回転支持部材１５は、円盤状部材２０の外側からその中央孔２０ａに挿入されて、円盤状部材２０の内側から凹溝２３の内部に収容されている。種子の閉じた状態を表すとき（図２参照）、支持部材１２は中心軸２１と平行に伸長するように貫通溝２２の内部に位置する。また、支持部材１２は少なくとも貫通溝２２の放射方向外側の端部よりも中心軸２１寄りに位置している。つまり、支持部材１２の面１２ａと貫通溝２２の放射方向外側の端部との間には空間が形成されるようになされている。また、突出部１３は中心軸２１に向けて、中心軸２１と垂直な面内において延在している。２枚の果実殻１１のすべてについてその支持部材１２が円盤状部材２０の中央孔２０ａの内部に同様に配置される。
【００２１】
基体カバー２５は、円盤状部材２０と同じ外径を有する円盤状の部材であって、その中央部には円形の貫通穴２６が設けられている。基体カバー２５は図示しないネジによって円盤状部材２０の中央孔２０ａと貫通孔２６とが重なるように固定される。基体カバー２５の貫通穴２６の半径は、基体カバー２５が円盤状部材２０の凹溝２３を少なくとも閉塞できるような径となっている。すなわち、基体カバー２５が円盤状部材２０に固定されると、２枚の可動片としての果実殻１１の回転支持部材１５は凹溝２３から外部へ離脱できなくなるのである。故に、回転支持部材１５が回転軸となって、果実殻１１は、基体としての円盤状部材２０に対して、円盤状部材２０の中心軸２１を含む面内において揺動自在である。
【００２２】
更に図６を併せて参照すると、棒状の部材である芯部材３０は、「種子」を模した形状に加工された先端部３１を有している。また、他端部３２は、図示しないソレノイドなどの駆動源と接続するためのネジ穴３２ａが加工されている。芯部材３０の中央部近傍には、芯部材３０の周囲に沿って突出形成された２枚の互いに対向するフランジ部３３ａ、３３ｂが軸方向に離間して形成されている。
【００２３】
特に図５に示すように、芯部材３０は、円盤状部材２０の中央孔２０ａから他端部３２の側を先頭に基体カバー２５の貫通穴２６に貫挿される。また、特に図６及び図７に示すように、芯部材３０のフランジ３３ａと３３ｂとの間には果実殻１１の支持部材１２に形成された突出部１３が位置するように配置される。
【００２４】
次に、本発明による種子型可動役物１の動作について、図１乃至図７を用いて詳細に説明する。
【００２５】
特に図６に示すように、「果実」の閉じた状態（図８参照）から開いた状態（図９参照）に演出を行うときにあっては、図示しないソレノイドやモーターなどの駆動源によって芯部材３０を中心軸２１に沿って前方、すなわち、円盤状部材２０の内部のＬ方向（芯部材３０の先端部３１が遊技者に向けて裸出する裸出方向）へと押し込むのである。ここで、「果実」の閉じた状態では、２枚の可動片としての果実殻１１は互いの縁部を当接させている。つまり可動片として果実殻１１の前方端部が互いに当接しているのである。一方、果実殻１１の支持部材１２の下端部に設けられた突出部１３の底部はフランジ部３３ｂの上側面と係合している。さらに芯部材３０が中心軸２１に沿ってＬ方向に押し込まれると、突出部１３はフランジ部３３ｂの上側面に摺接しながら円盤状部材２０の前方へと相対的に押し出される。ところが、果実殻１１の回転支持部材１５は円盤状部材２０の凹溝２３の内部にあって、円盤状部材２０に対してＬ方向へ相対的に動くことはできない。また、果実殻１１の支持部材１２は貫通溝２２の中にあって且つ中央孔２０ａ寄りの位置にあるため、貫通溝２２の中を中心軸２１から離間する方向へ移動可能である。結果として、果実殻１１は回転支持部材１５を中心として揺動回転するのである。これにより、可動片としての果実殻１１の先端部同士が互いに離間するように中心軸２１から放射状に拡がって、「果実」が開いた状態となるのである。このとき、芯部材３０は中心軸２１に沿って前方へと移動しているから、芯部材３０の先端部３１は果実殻１１の前方へと移動する。一方で、果実殻１１は上記した如く直線運動ではなく回転支持部材１５を中心として揺動するため、芯部材３０のように前方に移動することはない。故に、円盤状部材２０に対して出没自在に設けられた芯部材３０の円盤状部材２０の前方へ突出する方向Ｌへの移動によって、まるで「果実」が開いて内部の「種子」が突出するかのような演出がなされるのである。このように果実殻１１が放射状に拡がって果実殻１１の外部から視認出来なかった芯部材３０の先端部３１が視認可能となることで、遊技者へインパクトのある演出を提供できる。更に、好ましくは先端部３１が果実殻１１の先端方向外側へ突出することで、遊技者へはよりインパクトの大きい動作を提供することが可能となるのである。
【００２６】
特に、図７に示すように、「果実」の開いた状態（図９参照）から再び閉じた状態（図８参照）に演出を行うときにあっては、図示しないソレノイドやモーターなどの駆動源によって芯部材３０が中心軸２１に沿って後方、すなわち、円盤状部材２０の内部から引き抜かれるＬ’方向（上記した裸出方向と反対方向）に移動する。２枚の果実殻１１の支持部材１２の下端部に設けられた突出部１３はフランジ部３３ｂに対向して設けられたフランジ部３３ａの下側部に当接する。さらに芯部材３０が移動すると、突出部１３はフランジ部３３ａの下側部に摺接しながら円盤状部材２０の後方、Ｌ’方向へと相対的に移動しようとする。これにより果実殻１１は回転支持部材１５を中心として揺動回転するのである。このとき各果実殻１１の先端が互いに接近するように移動して、「果実」が閉じた状態になるのである。このとき、芯部材３０の先端部３１は果実殻１１によって完全に囲繞されてしまうのである。
【００２７】
上記した実施例によれば、果実殻が開閉動作してその内部の種子が外部に放出されようとしているかのような演出を提供することができる。少なくとも２つの果実殻１１は、単一の駆動源によって芯部材３０を１方向へ移動させるだけで同時に揺動せしめられるのである。また、果実殻１１が揺動するとともに、「種子」としての芯部材３０の先端部３１が果実殻１１の外に裸出したり、逆に囲繞されたりする動作についても共通する単一の駆動源によって駆動することが可能である。つまり、種子型可動役物１の大きさ、特に幅方向の大きさをコンパクトにすることができて、複数の種子型可動役物１を並置することが可能となるのである。特に、上記した桃太郎型の実施例などと比較して、単独ではストーリー性の少ない種子型可動役物１の如き可動役物については、これを複数を並置して同時に駆動させることで遊技者へのインパクトを拡大させて、演出効果をより高めることが出来るのである。
【００２８】
更に、「果実」の開閉の演出は、果実殻１１の突出部１３を上下から挟み込むフランジ部３３ａ及びフランジ部３３ｂによって行われており、重力による果実殻１１の揺動を利用していない。故に、種子型可動役物１の設置の方向（向き）に制限がなく、より多くの可動役物１を各所に設けることができて、遊技者へのインパクトを拡大させることが可能となるのである。
【００２９】
上記した実施例の種子型可動役物１の駆動部としてソレノイドを用いると、比較的素早く「果実」の開閉、すなわち果実殻１１の揺動を行うことができる。また、モーターとギアボックスとを組み合わせた駆動部によれば、「果実」の開閉速度に変化をもたせることができる。また、ギアボックスのギア比の調整により果実殻１１が大きくなって重量が増してもこれを駆動させることが可能である。駆動部は、種子型可動役物１のそれぞれに対して設けても良いが、種子型可動役物１のいくつかに共通して駆動部を設けても良い。例えば、１つのソレノイドによって得られる運動をいくつかの種子型可動役物１の芯部材３０の移動に同時に与えてもよい。
【００３０】
更に、図８及び図９に示すように、他の駆動部を用いた実施例として、遊技球の通過経路上にレバー４０を設け、遊技球が通過するとレバー４０を回転軸４１の周囲に回転するようにしておいてもよい。遊技球の通過によりレバー４０が回転軸４１の周囲を回動すると、回転軸４１を挟んでレバー４０と反対側にある係合部４２が種子型可動役物１の芯部材３０を前方に押し出して「果実」を開く演出が行われるのである（図８参照）。そして、遊技球がレバー４０から離れると、レバー４０は図示しない付勢バネによって元の位置に強制的に復帰するとともに、種子型可動役物１の芯部材３０を元の位置に戻して「果実」を閉じる演出が行われるのである（図９参照）。かかる構成によれば、電源を必要とせず、ソレノイドなどの駆動部品を必要としないので装置を更にコンパクトにできるのである。
【００３１】
更に、果実殻１１を光を透過するような例えばプラスチック材料などによって形成して、円盤状部材２０の下部に色彩の変化する光源を設けることもできる。例えば、特定の遊技条件の成立の可能性を果実殻１１の色彩の変化によって示唆する演出を行って、実際に当該特定の遊技条件が成立した時には上記した果実殻１１の開閉の演出を行うのである。また、果実殻１１をハーフミラーによって形成すると、当該光源からの光が当たったときのみ内部が透けて見えるなどの演出が可能である。かかる場合にあっても、例えば、特定の遊技条件の成立の可能性を果実殻１１の光の透過の変化によって示唆する演出を行うのである。このように果実殻１１に囲繞された芯部材３０の先端を、果実殻１１が開く前から遊技者にはっきりとは判別出来ない程度に視認可能な状態におくことで果実殻１１の回動動作への期待感を煽って、実際の回動動作時により高いインパクトを与え得るのである。
【図面の簡単な説明】
【００３２】
【図１】本発明による１つの実施例である種子型可動役物を複数含む中央役物の斜視図である。
【図２】本発明による１つの実施例である種子型可動役物の斜視図である。
【図３】本発明による１つの実施例である種子型可動役物の分解斜視図である。
【図４】本発明による１つの実施例である種子型可動役物に含まれる円盤状部材の（ａ）上面図及び（ｂ）下面図である。
【図５】本発明による１つの実施例である種子型可動役物の分解斜視図である。
【図６】本発明による１つの実施例である種子型可動役物の動作を表す図である。
【図７】本発明による１つの実施例である種子型可動役物の動作を表す図である。
【図８】本発明による１つの実施例である種子型可動役物を２つ用いた装置の斜視図である。
【図９】本発明による１つの実施例である種子型可動役物を２つ用いた装置の斜視図である。
【符号の説明】
【００３３】
１          種子型可動役物
２          中央役物
３          表示器
４          波形ステージ
１０        果実部
１１        果実殻（可動片）
１２        支持部材
１３        突出部
１５        回転支持部材
２０        円盤状部材（基体）
２０ａ      中央孔
２１        中心軸
２２        貫通溝
２３        凹溝
２５        基体カバー
２６        貫通穴
３０        芯部材
３１        先端部
３３ａ、３３ｂ    フランジ部
４０        レバー
４１        回転軸
４２        係合部
【図１】
2007130147.tif 000003
【図２】
2007130147.tif 000004
【図３】
2007130147.tif 000005
【図４】
2007130147.tif 000006
【図５】
2007130147.tif 000007
【図６】
2007130147.tif 000008
【図７】
2007130147.tif 000009
【図８】
2007130147.tif 000010
【図９】
2007130147.tif 000011